(57)【要約】【課題】強運転にて換気を行った後の常時換気への切替操作忘れを防止することができる換気扇用電子スイッチを提供する。【解決手段】換気扇Ｆが常時運転（弱運転）している状態で操作部３押操作すると、押操作終了時に、オフ信号を負荷制御部２ａに出力するとともにオン信号を負荷制御部２ｂに出力して、所定のタイマ時間Ｔ１の間換気扇Ｆを強運転させる。タイマ時間Ｔ１の経過後は、オン信号を負荷制御部２ａに出力するとともにオフ信号を負荷制御部２ｂに出力して、換気扇Ｆの常時運転（弱運転）を再開する。【選択図】        図１
2005020273.tif 000002
【特許請求の範囲】
【請求項１】
風量が弱状態で換気扇を運転させる第１の負荷制御部と、風量が強状態で換気扇を運転させる第２の負荷制御部と、風量が弱状態での換気扇の運転をオン・オフするための操作部と、換気扇の風量を所定時間強状態にするための強制換気スイッチと、操作部の操作に応じて第１の負荷制御部の動作をオン・オフ制御するとともに強制換気スイッチの操作に応じて第２の負荷制御部の動作をオン・オフ制御する制御回路部とを備え、制御回路部は、換気扇の風量を弱状態で運転しているとき、強制換気スイッチがオン操作された場合、換気扇の風量を強状態で所定時間運転した後、再び換気扇の風量を弱状態で運転することを特徴とする換気扇用電子スイッチ。
【請求項２】
前記操作部は前記強制換気スイッチを兼用し、前記制御回路部は、換気扇の停止時に操作部がオン操作された場合、換気扇の風量を弱状態で運転し、換気扇の風量を弱状態で運転しているときに操作部が第１の操作時間未満で操作された場合、換気扇の風量を強状態で前記所定時間運転した後、再び換気扇の風量を弱状態で運転し、換気扇の風量を弱状態で運転しているときに操作部が第１の操作時間以上で操作された場合、換気扇を停止することを特徴とする請求項１記載の換気扇用電子スイッチ。
【請求項３】
前記制御回路部は、換気扇の風量を強状態で前記所定時間運転しているときに前記強制換気スイッチが操作された場合、該操作時点から前記所定時間経過するまで強状態での運転を延長することを特徴とする請求項１記載の換気扇用電子スイッチ。
【請求項４】
前記制御回路部は、換気扇の風量を強状態で前記所定時間運転しているときに前記操作部が操作された場合、該操作時点から前記所定時間経過するまで強状態での運転を延長することを特徴とする請求項２記載の換気扇用電子スイッチ。
【請求項５】
前記制御回路部は、換気扇の風量を強状態で前記所定時間運転しているときに前記強制換気スイッチが操作された場合、該操作時点から弱状態での運転に復帰させることを特徴とする請求項１記載の換気扇用電子スイッチ。
【請求項６】
前記制御回路部は、換気扇の風量を強状態で前記所定時間運転しているときに前記操作部が操作された場合、該操作時点から弱状態での運転に復帰させることを特徴とする請求項２記載の換気扇用電子スイッチ。
【請求項７】
前記制御回路部は、換気扇の風量を強状態で前記所定時間運転しているときに前記強制換気スイッチが所定の操作時間未満で操作された場合、該操作時点から前記所定時間経過するまで強状態での運転を延長し、前記強制換気スイッチが所定の操作時間以上で操作された場合、該操作時点から弱状態での運転に復帰させることを特徴とする請求項１記載の換気扇用電子スイッチ。
【請求項８】
前記制御回路部は、換気扇の風量を強状態で前記所定時間運転しているときに前記操作部が第２の操作時間未満で操作された場合、該操作時点から前記所定時間経過するまで強状態での運転を延長し、前記操作部が第２の操作時間以上で操作された場合、該操作時点から弱状態での運転に復帰させることを特徴とする請求項２記載の換気扇用電子スイッチ。
【請求項９】
換気扇の風量を強状態で連続運転させる手段を備えることを特徴とする請求項１乃至８いずれか記載の換気扇用電子スイッチ。
【請求項１０】
外部の切り替えスイッチにより商用電源を入力する端子を切り替えることで風量の強・弱を切り替える換気扇と、内蔵したリレーにより商用電源を入力する端子を切り替えることで風量の強・弱を切り替える換気扇とのうち、接続された換気扇に対応して設定される負荷切替スイッチを備え、前記制御回路部は負荷切替スイッチの設定状態に応じて、第１の負荷制御部及び第２の負荷制御部を制御することを特徴とする請求項１または２記載の換気扇用電子スイッチ。
【請求項１１】
規格化された１個モジュールに形成された埋込型の配線器具を上下方向に上、中、下の３個並べて取り付けることのできる３組の器具取付手段を設けた器具取付孔を有する３個モジュールの取付枠に取り付け可能で、取付枠の上下方向に対応する寸法が１個モジュールの整数倍に形成されて、取付枠の器具取付手段に取り付けるための取付手段を具備する器体と、前記操作部に使用者の手の操作力を伝えるための操作用押釦部とを備え、器体の内部には前記負荷制御部、操作部、制御回路部、電源回路部が収納されることを特徴とする請求項１乃至１０いずれか記載の換気扇用電子スイッチ。
【請求項１２】
発光色の互いに異なる２つのＬＥＤと、各ＬＥＤに流れる電流を制限する抵抗とから構成される表示灯部を備え、換気扇の弱状態での運転時には両ＬＥＤを消灯させ、弱状態での運転以外の動作状態ではいずれか１つ以上のＬＥＤを点滅または点灯させることを特徴とする請求項１乃至９いずれか記載の換気扇用電子スイッチ。
【発明の詳細な説明】
【０００１】
【発明の属する技術分野】
本発明は、換気扇用電子スイッチに関するものである。
【０００２】
【従来の技術】
近年、シックハウス対策として、ホルムアルデヒドを発散する建材を使用しない場合でも、家具からの発散があるため、原則として全ての建築物に機械換気設備（常時換気設備）の設置を義務付けられることとなった。この常時換気設備に用いる換気扇には、風量を強・弱に切替可能なものがあり、換気扇に電源を供給しているスイッチには強・弱運転の切替スイッチが設けられていた。そして、通常は弱状態で運転して常時換気を行い、強力な換気が必要な場合にはスイッチを切り替えることで強状態にて運転していた。（例えば、特許文献１参照）
【０００３】
【特許文献１】
特開平１１−２９７１５０号公報（段落番号［００３５］）
【０００４】
【発明が解決しようとする課題】
しかし、上記従来例では、換気扇の風量を強状態に切り替えた後、弱状態に復帰させることを忘れることが多く発生していた。
【０００５】
本発明は、上記事由に鑑みてなされたものであり、その目的は、強運転にて換気を行った後の常時換気への切替操作忘れを防止することができる換気扇用電子スイッチを提供することにある。
【０００６】
【課題を解決するための手段】
請求項１の発明は、風量が弱状態で換気扇を運転させる第１の負荷制御部と、風量が強状態で換気扇を運転させる第２の負荷制御部と、風量が弱状態での換気扇の運転をオン・オフするための操作部と、換気扇の風量を所定時間強状態にするための強制換気スイッチと、操作部の操作に応じて第１の負荷制御部の動作をオン・オフ制御するとともに強制換気スイッチの操作に応じて第２の負荷制御部の動作をオン・オフ制御する制御回路部とを備え、制御回路部は、換気扇の風量を弱状態で運転しているとき、強制換気スイッチがオン操作された場合、換気扇の風量を強状態で所定時間運転した後、再び換気扇の風量を弱状態で運転することを特徴とする。
【０００７】
請求項２の発明は、請求項１において、前記操作部は前記強制換気スイッチを兼用し、前記制御回路部は、換気扇の停止時に操作部がオン操作された場合、換気扇の風量を弱状態で運転し、換気扇の風量を弱状態で運転しているときに操作部が第１の操作時間未満で操作された場合、換気扇の風量を強状態で前記所定時間運転した後、再び換気扇の風量を弱状態で運転し、換気扇の風量を弱状態で運転しているときに操作部が第１の操作時間以上で操作された場合、換気扇を停止することを特徴とする。
【０００８】
請求項３の発明は、請求項１において、前記制御回路部は、換気扇の風量を強状態で前記所定時間運転しているときに前記強制換気スイッチが操作された場合、該操作時点から前記所定時間経過するまで強状態での運転を延長することを特徴とする。
【０００９】
請求項４の発明は、請求項２において、前記制御回路部は、換気扇の風量を強状態で前記所定時間運転しているときに前記操作部が操作された場合、該操作時点から前記所定時間経過するまで強状態での運転を延長することを特徴とする。
【００１０】
請求項５の発明は、請求項１において、前記制御回路部は、換気扇の風量を強状態で前記所定時間運転しているときに前記強制換気スイッチが操作された場合、該操作時点から弱状態での運転に復帰させることを特徴とする。
【００１１】
請求項６の発明は、請求項２において、前記制御回路部は、換気扇の風量を強状態で前記所定時間運転しているときに前記操作部が操作された場合、該操作時点から弱状態での運転に復帰させることを特徴とする。
【００１２】
請求項７の発明は、請求項１において、前記制御回路部は、換気扇の風量を強状態で前記所定時間運転しているときに前記強制換気スイッチが所定の操作時間未満で操作された場合、該操作時点から前記所定時間経過するまで強状態での運転を延長し、前記強制換気スイッチが所定の操作時間以上で操作された場合、該操作時点から弱状態での運転に復帰させることを特徴とする。
【００１３】
請求項８の発明は、請求項２において、前記制御回路部は、換気扇の風量を強状態で前記所定時間運転しているときに前記操作部が第２の操作時間未満で操作された場合、該操作時点から前記所定時間経過するまで強状態での運転を延長し、前記操作部が第２の操作時間以上で操作された場合、該操作時点から弱状態での運転に復帰させることを特徴とする。
【００１４】
請求項９の発明は、請求項１乃至８いずれかにおいて、換気扇の風量を強状態で連続運転させる手段を備えることを特徴とする。
【００１５】
請求項１０の発明は、請求項１または２において、外部の切り替えスイッチにより商用電源を入力する端子を切り替えることで風量の強・弱を切り替える換気扇と、内蔵したリレーにより商用電源を入力する端子を切り替えることで風量の強・弱を切り替える換気扇とのうち、接続された換気扇に対応して設定される負荷切替スイッチを備え、前記制御回路部は負荷切替スイッチの設定状態に応じて、第１の負荷制御部及び第２の負荷制御部を制御することを特徴とする。
【００１６】
請求項１１の発明は、請求項１乃至１０いずれかにおいて、規格化された１個モジュールに形成された埋込型の配線器具を上下方向に上、中、下の３個並べて取り付けることのできる３組の器具取付手段を設けた器具取付孔を有する３個モジュールの取付枠に取り付け可能で、取付枠の上下方向に対応する寸法が１個モジュールの整数倍に形成されて、取付枠の器具取付手段に取り付けるための取付手段を具備する器体と、前記操作部に使用者の手の操作力を伝えるための操作用押釦部とを備え、器体の内部には前記負荷制御部、操作部、制御回路部、電源回路部が収納されることを特徴とする。
【００１７】
請求項１２の発明は、請求項１乃至９いずれかにおいて、発光色の互いに異なる２つのＬＥＤと、各ＬＥＤに流れる電流を制限する抵抗とから構成される表示灯部を備え、換気扇の弱状態での運転時には両ＬＥＤを消灯させ、弱状態での運転以外の動作状態ではいずれか１つ以上のＬＥＤを点滅または点灯させることを特徴とする。
【００１８】
【発明の実施の形態】
以下、本発明の実施の形態を図面に基づいて説明する。
【００１９】
（実施形態１）
本実施形態の換気扇用電子スイッチ（以下電子スイッチと称する）Ａは図１に示すように、商用電源ＡＣ及び負荷機器である換気扇Ｆを外部から接続する端子部１と、風量が弱状態で換気扇を運転させる弱運転用の負荷制御部２ａ（第１の負荷制御部）と、風量が強状態で換気扇を運転させる強運転用の負荷制御部２ｂ（第２の負荷制御部）と、押釦スイッチを備える操作部３と、電子スイッチＡの動作を制御する制御回路部４と、商用電源ＡＣを所定の動作電源に変換して電子スイッチＡの動作電源とする電源回路部５と、電子スイッチＡの動作状態を報知する表示灯部６と、各種設定を行う設定部７とから構成される。
【００２０】
商用電源ＡＣは端子部１の端子１ａに電圧側配線を接続し，端子１ｂに設置側配線を接続する。換気扇Ｆは、共通端子を端子１ｃに接続し、風量を強状態で運転する強運転用の端子を端子１ｄに接続し、風量を弱状態で運転する弱運転用の端子を端子１ｅに接続する。電子スイッチＡの内部では、端子１ｂ，１ｃは互いに接続され、端子１ａ、１ｄ間には負荷制御部２ｂが挿入され、端子１ａ、１ｅ間には負荷制御部２ａが挿入されている。
【００２１】
負荷制御部２ａは、商用電源ＡＣから換気扇Ｆの弱運転用の端子への電力供給をオン・オフして換気扇Ｆの弱運転をオン・オフし、負荷制御部２ｂは、商用電源ＡＣから換気扇Ｆの強運転用の端子への電力供給をオン・オフして換気扇Ｆの強運転をオン・オフする。
【００２２】
操作部３は図２に示すように押釦形のオン／オフ操作スイッチＳＷ１と、押釦形の局所換気スイッチ（強制換気スイッチ）ＳＷ２とから構成されて、制御回路部４に接続されており、オン／オフ操作スイッチＳＷ１、局所換気スイッチＳＷ２が各々押操作される度に、制御回路部４は負荷制御部２ａまたは負荷制御部２ｂにオン信号、オフ信号（オン・オフ信号）を出力する。オン・オフ信号は光信号または電気信号によって負荷制御部２ａまたは負荷制御部２ｂに伝達され、負荷制御部２ａ，２ｂはこのオン・オフ信号に応じて、換気扇Ｆの弱運転、強運転を各々オン・オフしている。
【００２３】
電源回路部５は端子１ａ，１ｂを介して商用電源ＡＣに接続しており、制御回路部４に所望の動作電源を供給している。
【００２４】
本実施形態の動作について、図３（ａ）〜（ｃ）の動作フローを用いて説明する。まず換気扇Ｆが停止している状態で、オン／オフ操作スイッチＳＷ１を押操作すると押操作終了時に（時間ｔ０）、制御回路部４は即時にオン信号を負荷制御部２ａに出力し、負荷制御部２ａは換気扇Ｆを弱運転する常時運転を行う。
【００２５】
そして換気扇Ｆが常時運転（弱運転）している状態で局所換気スイッチＳＷ２を押操作すると、換気扇Ｆの風量を強状態で所定時間運転した後、再び換気扇Ｆの風量を弱状態で運転する局所換気（強制換気）を行う。すなわち、押操作終了時に（時間ｔ１）、オフ信号を負荷制御部２ａに出力するとともにオン信号を負荷制御部２ｂに出力して、所定のタイマ時間Ｔ１の間換気扇Ｆを強運転させる。タイマ時間Ｔ１の経過後（時間ｔ２）は、オン信号を負荷制御部２ａに出力するとともにオフ信号を負荷制御部２ｂに出力して、換気扇Ｆの常時運転（弱運転）を再開する。
【００２６】
次に換気扇Ｆが常時運転している状態でオン／オフ操作スイッチＳＷ１を押操作すると（時間ｔ３）、制御回路部４はこの押操作開始（時間ｔ３）から押操作終了（時間ｔ４）までの時間（押操作時間）を計測し、この押操作時間（ｔ４−ｔ３）が予め規定した数秒程度の時間（本実施形態では３秒とする）以上であればこのオン／オフ操作スイッチＳＷ１からの入力を受け付ける。しかし今回の押操作時間（ｔ４−ｔ３）が３秒未満であるので、制御回路部４はオン／オフ操作スイッチＳＷ１からの入力をキャンセルし、常時運転を継続する。
【００２７】
再びオン／オフ操作スイッチＳＷ１を押操作すると（時間ｔ５）、今回の押操作時間（ｔ６−ｔ５）が３秒以上であるので、制御回路部４はオン／オフ操作スイッチＳＷ１からの入力を受け付けて、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００２８】
図４は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ３）、換気扇Ｆを強運転して局所換気を行い、局所換気状態となってから所定のタイマ時間Ｔ１が経過すると（Ｓ４）換気扇Ｆの弱運転状態に復帰する。
【００２９】
なお表示灯部６は、発光色の互いに異なる２つのＬＥＤ（例えば赤と緑）と、各ＬＥＤに流れる電流を制限する抵抗とから構成されるもので、２つのＬＥＤをＬＥＤ１，ＬＥＤ２とすると、停止時は［ＬＥＤ１：点灯、ＬＥＤ２：消灯］、弱運転時は［ＬＥＤ１：消灯、ＬＥＤ２：消灯］、強運転時は［ＬＥＤ１：消灯、ＬＥＤ２：点灯］、局所換気タイマ時は［ＬＥＤ１：消灯、ＬＥＤ２：点滅］という表示動作を行う。さらに換気扇Ｆの動作を一時停止させる手段を設けた場合には、一時停止時に［ＬＥＤ１：点滅、ＬＥＤ２：消灯］という表示動作を行えばよい。またＬＥＤの代わりにネオンランプを用いてもよい。
【００３０】
さらに上記タイマ時間Ｔ１は、切替スイッチや可変抵抗器等で構成される設定部７（図２参照）によって可変、設定可能である。
【００３１】
上記本実施形態では、局所換気状態（強運転）から自動的に常時運転（弱運転）に復帰するので、局所換気から常時運転への切替操作忘れを防止することができる。さらには、本字実施形態の電子スイッチＡは小型、且つ常時換気設備を安価に構成できるものである。
【００３２】
（実施形態２）
本実施形態の電子スイッチＡは実施形態１と略同様であるが、図５に示すように、商用電源ＡＣと換気扇Ｆとの直列回路の換気扇Ｆの電圧側配線を端子１ａに接続し、換気扇Ｆの強運転用の端子を端子１ｃに接続し、風量を弱状態で運転する弱運転用の端子を端子１ｄに接続して、電子スイッチＡの内部では、端子１ａ、１ｃ間に負荷制御部２ｂが接続され、端子１ａ、１ｄ間に負荷制御部２ａが接続されている点、及び操作部３には局所換気スイッチＳＷ２を設けずにオン／オフ操作スイッチＳＷ１のみで構成した点が異なり、同様の構成には同一の符号を付して説明は省略する。
【００３３】
本実施形態の動作について、図６（ａ），（ｂ）の動作フローを用いて説明する。まず換気扇Ｆが停止している状態で、オン／オフ操作スイッチＳＷ１を押操作すると押操作終了時に（時間ｔ１０）、制御回路部４は即時にオン信号を負荷制御部２ａに出力し、負荷制御部２ａは換気扇Ｆを弱運転する常時運転を行う。
【００３４】
そして換気扇Ｆが常時運転（弱運転）している状態でオン／オフ操作スイッチＳＷ１を押操作すると、制御回路部４はこの押操作開始（時間ｔ１１）から押操作終了（時間ｔ１２）までの時間（押操作時間）を計測し、この押操作時間（ｔ１２−ｔ１１）が予め規定した数秒程度の時間（本実施形態では３秒とする）未満であれば、押操作終了時に（時間ｔ１２）、オフ信号を負荷制御部２ａに出力するとともにオン信号を負荷制御部２ｂに出力して、所定のタイマ時間Ｔ１の間換気扇Ｆを強運転させて局所換気を行う。タイマ時間Ｔ１の経過後（時間ｔ１３）は、オン信号を負荷制御部２ａに出力するとともにオフ信号を負荷制御部２ｂに出力して、換気扇Ｆの弱運転状態に復帰する。
【００３５】
次に換気扇Ｆが常時運転（弱運転）している状態でオン／オフ操作スイッチＳＷ１を押操作すると（時間ｔ１４）、今回の押操作時間（ｔ１５−ｔ１４）が３秒以上であるので、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００３６】
図４は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ３）、換気扇Ｆを強運転して局所換気を行い、局所換気状態となってから所定のタイマ時間Ｔ１が経過すると（Ｓ４）換気扇Ｆの弱運転状態に復帰する。
【００３７】
上記本実施形態では、実施形態１に比べて操作スイッチの数を減らして同様の機能操作を実現しており、部品数の削減による合理化、器具の小形化、さらには器具サイズに対して操作部３を大きくすることが可能となる。
【００３８】
（実施形態３）
本実施形態の電子スイッチＡの構成は実施形態１と同様であり、同様の構成には同一の符号を付して説明は省略する。本実施形態の制御回路部４は、局所換気の強運転にタイマ時間Ｔ１移行させている時に、局所換気スイッチＳＷ２を押操作した場合、局所換気の強運転状態を延長するもので、その動作について、図７（ａ）〜（ｃ）の動作フローを用いて説明する。
【００３９】
まず換気扇Ｆが停止している状態で、オン／オフ操作スイッチＳＷ１を押操作すると押操作終了時に（時間ｔ２０）、制御回路部４は即時にオン信号を負荷制御部２ａに出力し、負荷制御部２ａは換気扇Ｆを弱運転する常時運転を行う。
【００４０】
そして換気扇Ｆが常時運転（弱運転）している状態で局所換気スイッチＳＷ２を押操作すると局所換気を行う。すなわち、押操作終了時に（時間ｔ２１）、オフ信号を負荷制御部２ａに出力するとともにオン信号を負荷制御部２ｂに出力して、所定のタイマ時間Ｔ１の間換気扇Ｆを強運転させる。この局所換気の強運転中に局所換気スイッチＳＷ２を押操作すると、押操作終了後（時間ｔ２２）からさらにタイマ時間Ｔ１の間、局所換気の強運転状態を延長する。この延長したタイマ時間Ｔ１の経過後（時間ｔ２３）は、オン信号を負荷制御部２ａに出力するとともにオフ信号を負荷制御部２ｂに出力して、換気扇Ｆの弱運転状態に復帰する。
【００４１】
次に換気扇Ｆが常時運転（弱運転）している状態でオン／オフ操作スイッチＳＷ１を押操作すると（時間ｔ２４）、制御回路部４はこの押操作開始（時間ｔ２４）から押操作終了（時間ｔ２５）までの時間（押操作時間）を計測し、この押操作時間（ｔ２５−ｔ２４）が３秒以上であればこのオン／オフ操作スイッチＳＷ１からの入力を受け付ける。しかし今回の押操作時間（ｔ２５−ｔ２４）が３秒未満であるので、制御回路部４はオン／オフ操作スイッチＳＷ１からの入力をキャンセルし、常時運転を継続する。
【００４２】
再びオン／オフ操作スイッチＳＷ１を押操作すると（時間ｔ２６）、今回の押操作時間（ｔ２７−ｔ２６）が３秒以上であるので、制御回路部４はオン／オフ操作スイッチＳＷ１からの入力を受け付けて、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００４３】
図８は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ３）、換気扇Ｆを強運転して局所換気を行い、局所換気状態となってから所定のタイマ時間Ｔ１が経過すると（Ｓ４）換気扇Ｆの弱運転状態に復帰する。局所換気状態で局所換気スイッチＳＷ２が押操作されると（Ｓ５）、局所換気の強運転状態をさらにタイマ時間Ｔ１延長する。
【００４４】
上記本実施形態では、必要に応じて局所換気の強運転状態を延長できるため使い勝手が向上する。
【００４５】
（実施形態４）
本実施形態の電子スイッチＡの構成は実施形態２と同様であり、同様の構成には同一の符号を付して説明は省略する。本実施形態の制御回路部４は、局所換気の強運転にタイマ時間Ｔ１移行させている時に、オン／オフ操作スイッチＳＷ１を３秒未満押操作した場合、局所換気の強運転状態を延長するもので、その動作について、図９（ａ），（ｂ）の動作フローを用いて説明する。
【００４６】
まず換気扇Ｆが停止している状態で、オン／オフ操作スイッチＳＷ１を押操作すると押操作終了時に（時間ｔ３０）、制御回路部４は即時にオン信号を負荷制御部２ａに出力し、負荷制御部２ａは換気扇Ｆを弱運転する常時運転を行う。
【００４７】
そして換気扇Ｆが常時運転（弱運転）している状態でオン／オフ操作スイッチＳＷ１を押操作すると、制御回路部４はこの押操作開始（時間ｔ３１）から押操作終了（時間ｔ３２）までの時間（押操作時間）を計測し、この押操作時間（ｔ３２−ｔ３１）が３秒未満であれば、押操作終了時に（時間ｔ３２）、オフ信号を負荷制御部２ａに出力するとともにオン信号を負荷制御部２ｂに出力して、所定のタイマ時間Ｔ１の間換気扇Ｆを強運転させる。この局所換気の強運転中にオン／オフ操作スイッチＳＷ１を押操作すると、押操作終了後（時間ｔ３３）からさらにタイマ時間Ｔ１の間、局所換気の強運転状態を延長する。この延長したタイマ時間Ｔ１の経過後（時間ｔ３４）は、オン信号を負荷制御部２ａに出力するとともにオフ信号を負荷制御部２ｂに出力して、換気扇Ｆの弱運転状態に復帰する。
【００４８】
次に換気扇Ｆが常時運転（弱運転）している状態でオン／オフ操作スイッチＳＷ１を押操作すると（時間ｔ３５）、今回の押操作時間（ｔ３６−ｔ３５）が３秒以上であるので、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００４９】
図８は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ３）、換気扇Ｆを強運転して局所換気を行い、局所換気状態となってから所定のタイマ時間Ｔ１が経過すると（Ｓ４）換気扇Ｆの弱運転状態に復帰する。局所換気状態でオン／オフ操作スイッチＳＷ１が押操作されると（Ｓ５）、局所換気の強運転状態をさらにタイマ時間Ｔ１延長する。
【００５０】
上記本実施形態では、必要に応じて局所換気の強運転状態を延長できるため使い勝手が向上する。
【００５１】
（実施形態５）
本実施形態の電子スイッチＡの構成は実施形態１と同様であり、同様の構成には同一の符号を付して説明は省略する。本実施形態の制御回路部４は、局所換気の強運転にタイマ時間Ｔ１移行させている時に局所換気スイッチＳＷ２を押操作した場合、タイマ時間Ｔ１の途中であっても常時運転の弱運転状態に復帰させるもので、その動作について、図１０（ａ）〜（ｃ）の動作フローを用いて説明する。
【００５２】
まず換気扇Ｆが停止している状態で、オン／オフ操作スイッチＳＷ１を押操作すると押操作終了時に（時間ｔ４０）、制御回路部４は即時にオン信号を負荷制御部２ａに出力し、負荷制御部２ａは換気扇Ｆを弱運転する常時運転を行う。
【００５３】
そして換気扇Ｆが常時運転（弱運転）している状態で局所換気スイッチＳＷ２を押操作すると局所換気を行う。すなわち、押操作終了時に（時間ｔ４１）、オフ信号を負荷制御部２ａに出力するとともにオン信号を負荷制御部２ｂに出力して、所定のタイマ時間Ｔ１の間換気扇Ｆを強運転させる。この局所換気の強運転中に局所換気スイッチＳＷ２を押操作すると、押操作終了後（時間ｔ４２）にオン信号を負荷制御部２ａに出力するとともにオフ信号を負荷制御部２ｂに出力して、換気扇Ｆの弱運転状態に復帰する。
【００５４】
次に換気扇Ｆが常時運転（弱運転）している状態でオン／オフ操作スイッチＳＷ１を押操作すると（時間ｔ４３）、制御回路部４はこの押操作開始（時間ｔ４３）から押操作終了（時間ｔ４４）までの時間（押操作時間）を計測し、この押操作時間（ｔ４４−ｔ４３）が３秒以上であればこのオン／オフ操作スイッチＳＷ１からの入力を受け付ける。しかし今回の押操作時間（ｔ４４−ｔ４３）が３秒未満であるので、制御回路部４はオン／オフ操作スイッチＳＷ１からの入力をキャンセルし、常時運転を継続する。
【００５５】
再びオン／オフ操作スイッチＳＷ１を押操作すると（時間ｔ４５）、今回の押操作時間（ｔ４６−ｔ４５）が３秒以上であるので、制御回路部４はオン／オフ操作スイッチＳＷ１からの入力を受け付けて、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００５６】
図４は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ３）、換気扇Ｆを強運転して局所換気を行い、局所換気状態となってから所定のタイマ時間Ｔ１が経過する、あるいは局所換気スイッチＳＷ２が押操作されると（Ｓ４）換気扇Ｆの弱運転状態に復帰する。
【００５７】
上記本実施形態では、必要に応じて任意に局所換気状態を中断できるため、タイマ時間Ｔ１の経過前であっても常時運転（弱運転）に復旧することが可能となり使い勝手が向上する。
【００５８】
（実施形態６）
本実施形態の電子スイッチＡの構成は実施形態２と同様であり、同様の構成には同一の符号を付して説明は省略する。本実施形態の制御回路部４は、局所換気の強運転にタイマ時間Ｔ１移行させている時にオン／オフ操作スイッチＳＷ１を押操作した場合、タイマ時間Ｔ１の途中であっても常時運転の弱運転状態に復帰させるもので、その動作について、図１１（ａ），（ｂ）の動作フローを用いて説明する。
【００５９】
まず換気扇Ｆが停止している状態で、オン／オフ操作スイッチＳＷ１を押操作すると押操作終了時に（時間ｔ５０）、制御回路部４は即時にオン信号を負荷制御部２ａに出力し、負荷制御部２ａは換気扇Ｆを弱運転する常時運転を行う。
【００６０】
そして換気扇Ｆが常時運転（弱運転）している状態でオン／オフ操作スイッチＳＷ１を押操作すると、制御回路部４はこの押操作開始（時間ｔ５１）から押操作終了（時間ｔ５２）までの時間（押操作時間）を計測し、この押操作時間（ｔ５２−ｔ５１）が３秒未満であれば、押操作終了時に（時間ｔ５２）、オフ信号を負荷制御部２ａに出力するとともにオン信号を負荷制御部２ｂに出力して、所定のタイマ時間Ｔ１の間換気扇Ｆを強運転させる。この局所換気の強運転中にオン／オフ操作スイッチＳＷ１を押操作すると、押操作終了後（時間ｔ５３）にオン信号を負荷制御部２ａに出力するとともにオフ信号を負荷制御部２ｂに出力して、換気扇Ｆの弱運転状態に復帰する。
【００６１】
次に換気扇Ｆが常時運転（弱運転）している状態でオン／オフ操作スイッチＳＷ１を押操作すると（時間ｔ５４）、この押操作時間（ｔ５５−ｔ５４）は３秒以上であるので、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００６２】
図４は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ３）、換気扇Ｆを強運転して局所換気を行い、局所換気状態となってから所定のタイマ時間Ｔ１が経過する、あるいはオン／オフ操作スイッチＳＷ１が押操作されると（Ｓ４）換気扇Ｆの弱運転状態に復帰する。
【００６３】
上記本実施形態では、必要に応じて任意に局所換気状態を中断できるため、タイマ時間Ｔ１の経過前であっても常時運転（弱運転）に復旧することが可能となり使い勝手が向上する。
【００６４】
（実施形態７）
本実施形態の電子スイッチＡの構成は実施形態１と同様であり、同様の構成には同一の符号を付して説明は省略する。本実施形態の制御回路部４は、実施形態３の局所換気の強運転状態の延長操作，及び実施形態５の局所換気の強運転状態の中止操作を１台の電子スイッチＡで実現したものであり、その動作について、図１２（ａ）〜（ｃ）の動作フローを用いて説明する。
【００６５】
まず換気扇Ｆが停止している状態で、オン／オフ操作スイッチＳＷ１を押操作すると押操作終了時に（時間ｔ６０）、制御回路部４は即時にオン信号を負荷制御部２ａに出力し、負荷制御部２ａは換気扇Ｆを弱運転する常時運転を行う。
【００６６】
そして換気扇Ｆが常時運転（弱運転）している状態で局所換気スイッチＳＷ２を押操作すると局所換気を行う。すなわち、押操作終了時に（時間ｔ６１）、オフ信号を負荷制御部２ａに出力するとともにオン信号を負荷制御部２ｂに出力して、所定のタイマ時間Ｔ１の間換気扇Ｆを強運転させる。この局所換気の強運転中に局所換気スイッチＳＷ２を押操作すると（時間ｔ６２）、制御回路部４はこの押操作開始（時間ｔ６２）から押操作終了（時間ｔ６３）までの時間（押操作時間）を計測し、この押操作時間（ｔ６３−ｔ６２）が３秒以上であれば、オン信号を負荷制御部２ａに出力するとともにオフ信号を負荷制御部２ｂに出力して、換気扇Ｆの弱運転状態に復帰する。
【００６７】
再び換気扇Ｆが常時運転（弱運転）している状態でオン／オフ操作スイッチＳＷ１を押操作し（時間ｔ６４）、所定のタイマ時間Ｔ１の間換気扇Ｆを強運転させる。この局所換気の強運転中に局所換気スイッチＳＷ２を押操作すると（時間ｔ６５）、今回の押操作時間（ｔ６６−ｔ６５）が３秒未満であるので、押操作終了後（時間ｔ６６）からさらにタイマ時間Ｔ１の間、局所換気の強運転状態を延長する。この延長したタイマ時間Ｔ１の経過後（時間ｔ６７）は、オン信号を負荷制御部２ａに出力するとともにオフ信号を負荷制御部２ｂに出力して、換気扇Ｆの弱運転状態に復帰する。
【００６８】
次に換気扇Ｆが常時運転（弱運転）している状態でオン／オフ操作スイッチＳＷ１を押操作すると（時間ｔ６８）、制御回路部４はこの押操作開始（時間ｔ６８）から押操作終了（時間ｔ６９）までの時間（押操作時間）を計測し、この押操作時間（ｔ６９−ｔ６８）が３秒以上であればこのオン／オフ操作スイッチＳＷ１からの入力を受け付ける。しかし今回の押操作時間（ｔ６９−ｔ６８）が３秒未満であるので、制御回路部４はオン／オフ操作スイッチＳＷ１からの入力をキャンセルし、常時運転を継続する。
【００６９】
再びオン／オフ操作スイッチＳＷ１を押操作すると（時間ｔ７０）、今回の押操作時間（ｔ７１−ｔ７０）が３秒以上であるので、制御回路部４はオン／オフ操作スイッチＳＷ１からの入力を受け付けて、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００７０】
図８は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ３）、換気扇Ｆを強運転して局所換気を行い、局所換気状態となってから所定のタイマ時間Ｔ１が経過する、あるいは局所換気スイッチＳＷ２が３秒以上押操作されると（Ｓ４）換気扇Ｆの弱運転状態に復帰する。局所換気状態で局所換気スイッチＳＷ２が３秒未満押操作されると（Ｓ５）、局所換気の強運転状態をさらにタイマ時間Ｔ１延長する。
【００７１】
上記本実施形態は、操作スイッチの数を増やすことなく実施形態３，５の効果を同時に合理的に実現している。
【００７２】
（実施形態８）
本実施形態の電子スイッチＡの構成は実施形態２と同様であり、同様の構成には同一の符号を付して説明は省略する。本実施形態の制御回路部４は、実施形態４の局所換気の強運転状態の延長操作，及び実施形態６の局所換気の強運転状態の中止操作を１台の電子スイッチＡで実現したものであり、その動作について、図１３（ａ）〜（ｃ）の動作フローを用いて説明する。
【００７３】
まず換気扇Ｆが停止している状態で、オン／オフ操作スイッチＳＷ１を押操作すると押操作終了時に（時間ｔ８０）、制御回路部４は即時にオン信号を負荷制御部２ａに出力し、負荷制御部２ａは換気扇Ｆを弱運転する常時運転を行う。
【００７４】
そして換気扇Ｆが常時運転（弱運転）している状態でオン／オフ操作スイッチＳＷ１を押操作すると（時間ｔ８１）、制御回路部４はこの押操作開始（時間ｔ８１）から押操作終了（時間ｔ８２）までの時間（押操作時間）を計測し、この押操作時間（ｔ８２−ｔ８１）が３秒未満であれば、押操作終了時に（時間ｔ８２）、オフ信号を負荷制御部２ａに出力するとともにオン信号を負荷制御部２ｂに出力して、所定のタイマ時間Ｔ１の間換気扇Ｆを強運転させる。この局所換気の強運転中にオン／オフ操作スイッチＳＷ１を押操作すると（時間ｔ８３）、制御回路部４は、この押操作時間（ｔ８４−ｔ８３）が３秒以上であれば、オン信号を負荷制御部２ａに出力するとともにオフ信号を負荷制御部２ｂに出力して、換気扇Ｆの弱運転状態に復帰する。
【００７５】
再び換気扇Ｆが常時運転（弱運転）している状態でオン／オフ操作スイッチＳＷ１を３秒未満押操作すると（時間ｔ８５〜ｔ８６）、再び局所換気を行い、所定のタイマ時間Ｔ１の間換気扇Ｆを強運転させる。この局所換気の強運転中にオン／オフ操作スイッチＳＷ１を押操作すると（時間ｔ８７）、制御回路部４は、この押操作時間（ｔ８８−ｔ８７）が３秒未満であれば、押操作終了後（時間ｔ８８）からさらにタイマ時間Ｔ１の間、局所換気の強運転状態を延長する。この延長したタイマ時間Ｔ１の経過後（時間ｔ８９）は、オン信号を負荷制御部２ａに出力するとともにオフ信号を負荷制御部２ｂに出力して、換気扇Ｆの弱運転状態に復帰する。
【００７６】
次に換気扇Ｆが常時運転（弱運転）している状態でオン／オフ操作スイッチＳＷ１を押操作すると（時間ｔ９０）、この押操作時間（ｔ９１−ｔ９０）が３秒以上であるので、制御回路部４は負荷制御部２ａにオフ信号を出力し、オフ信号を入力された負荷制御部２ａは商用電源ＡＣから換気扇Ｆへの電力供給をオフして換気扇Ｆを停止させる。
【００７７】
図８は本実施形態の状態遷移図を示しており、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ３）、換気扇Ｆを強運転して局所換気を行い、局所換気状態となってから所定のタイマ時間Ｔ１が経過する、あるいはオン／オフ操作スイッチＳＷ１が３秒以上押操作されると（Ｓ４）換気扇Ｆの弱運転状態に復帰する。局所換気状態でオン／オフ操作スイッチＳＷ１が３秒未満押操作されると（Ｓ５）、局所換気の強運転状態をさらにタイマ時間Ｔ１延長する。
【００７８】
上記本実施形態は、操作スイッチの数を増やすことなく実施形態４，６の効果を同時に合理的に実現している。
【００７９】
（実施形態９）
本実施形態は、実施形態１〜８において、換気扇Ｆの風量を強状態で連続運転する手段を備えたもので、以下図１４，図１５の状態遷移図を用いて説明する。
【００８０】
まず、実施形態１に対応する例は、図１４に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では局所換気スイッチＳＷ２が押操作されると（Ｓ６）、換気扇Ｆの強運転を連続して行い、強運転状態では局所換気スイッチＳＷ２が押操作されると（Ｓ７）、局所換気状態となり、局所換気状態となってから所定のタイマ時間Ｔ１が経過すると（Ｓ４）換気扇Ｆの弱運転状態に復帰する。
【００８１】
次に、実施形態２に対応する例は、図１４に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ６）、換気扇Ｆの強運転を連続して行い、強運転状態ではオン／オフ操作スイッチＳＷ１が押操作されると（Ｓ７）局所換気状態となり、局所換気状態となってから所定のタイマ時間Ｔ１が経過すると（Ｓ４）換気扇Ｆの弱運転状態に復帰する。
【００８２】
次に、実施形態３に対応する例は、図１５に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ６）、換気扇Ｆの強運転を連続して行い、強運転状態では局所換気スイッチＳＷ２が押操作されると（Ｓ７）局所換気状態となり、局所換気状態となってから所定のタイマ時間Ｔ１が経過すると（Ｓ４）換気扇Ｆの弱運転状態に復帰する。局所換気状態で局所換気スイッチＳＷ２が押操作されると（Ｓ５）、局所換気の強運転状態をさらにタイマ時間Ｔ１延長する。
【００８３】
次に、実施形態４に対応する例は、図１５に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ６）、換気扇Ｆの強運転を連続して行い、強運転状態ではオン／オフ操作スイッチＳＷ１が押操作されると（Ｓ７）局所換気状態となり、局所換気状態となってから所定のタイマ時間Ｔ１が経過すると（Ｓ４）換気扇Ｆの弱運転状態に復帰する。局所換気状態でオン／オフ操作スイッチＳＷ１が押操作されると（Ｓ５）、局所換気の強運転状態をさらにタイマ時間Ｔ１延長する。
【００８４】
次に、実施形態５に対応する例は、図１４に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ６）、換気扇Ｆの強運転を連続して行い、強運転状態では局所換気スイッチＳＷ２が押操作されると（Ｓ７）局所換気状態となり、局所換気状態となってから所定のタイマ時間Ｔ１が経過する、あるいは局所換気スイッチＳＷ２が押操作されると（Ｓ４）換気扇Ｆの弱運転状態に復帰する。
【００８５】
次に、実施形態６に対応する例は、図１４に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ６）、換気扇Ｆの強運転を連続して行い、強運転状態ではオン／オフ操作スイッチＳＷ１が押操作されると（Ｓ７）局所換気状態となり、局所換気状態となってから所定のタイマ時間Ｔ１が経過する、あるいはオン／オフ操作スイッチＳＷ１が押操作されると（Ｓ４）換気扇Ｆの弱運転状態に復帰する。
【００８６】
次に、実施形態７に対応する例は、図１５に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ６）、換気扇Ｆの強運転を連続して行い、強運転状態では局所換気スイッチＳＷ２が押操作されると（Ｓ７）局所換気状態となり、局所換気状態となってから所定のタイマ時間Ｔ１が経過する、あるいは局所換気スイッチＳＷ２が３秒以上押操作されると（Ｓ４）換気扇Ｆの弱運転状態に復帰する。局所換気状態で局所換気スイッチＳＷ２が３秒未満押操作されると（Ｓ５）、局所換気の強運転状態をさらにタイマ時間Ｔ１延長する。
【００８７】
次に、実施形態８に対応する例は、図１５に示す状態遷移図において、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ６）、換気扇Ｆの強運転を連続して行い、強運転状態ではオン／オフ操作スイッチＳＷ１が押操作されると（Ｓ７）局所換気状態となり、局所換気状態となってから所定のタイマ時間Ｔ１が経過する、あるいはオン／オフ操作スイッチＳＷ１が３秒以上押操作されると（Ｓ４）換気扇Ｆの弱運転状態に復帰する。局所換気状態でオン／オフ操作スイッチＳＷ１が３秒未満押操作されると（Ｓ５）、局所換気の強運転状態をさらにタイマ時間Ｔ１延長する。
【００８８】
また、図１６に示す状態遷移図を用いる第１の実施例は、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、局所換気スイッチＳＷ２が押操作されると（Ｓ６）、換気扇Ｆの強運転を連続して行い、強運転状態では局所換気スイッチＳＷ２が３秒未満押操作されると（Ｓ７）局所換気状態となり、強運転状態で局所換気スイッチＳＷ２が３秒以上押操作されると（Ｓ８）弱運転状態に戻る。局所換気状態となってから所定のタイマ時間Ｔ１が経過する、あるいは局所換気スイッチＳＷ２が３秒以上押操作されると（Ｓ４）換気扇Ｆの弱運転状態に復帰し、局所換気状態で局所換気スイッチＳＷ２が３秒未満押操作されると（Ｓ５）、局所換気の強運転状態をさらにタイマ時間Ｔ１延長する。
【００８９】
さらに、図１６に示す状態遷移図を用いる第２の実施例は、換気扇Ｆが停止しているオフ状態でオン／オフ操作スイッチＳＷ１が押操作されると（Ｓ１）、換気扇Ｆの弱運転状態に即時に移行する。また、換気扇Ｆが弱運転している状態ではオン／オフ操作スイッチＳＷ１が３秒以上押操作されると（Ｓ２）、換気扇Ｆのオフ状態に移行する。換気扇Ｆが弱運転している状態では、オン／オフ操作スイッチＳＷ１が３秒未満押操作されると（Ｓ６）、換気扇Ｆの強運転を連続して行い、強運転状態ではオン／オフ操作スイッチＳＷ１が３秒未満押操作されると（Ｓ７）局所換気状態となり、強運転状態でオン／オフ操作スイッチＳＷ１が３秒以上押操作されると（Ｓ８）弱運転状態に戻る。局所換気状態となってから所定のタイマ時間Ｔ１が経過する、あるいはオン／オフ操作スイッチＳＷ１が３秒以上押操作されると（Ｓ４）換気扇Ｆの弱運転状態に復帰し、局所換気状態でオン／オフ操作スイッチＳＷ１が３秒未満押操作されると（Ｓ５）、局所換気の強運転状態をさらにタイマ時間Ｔ１延長する。
【００９０】
上記本実施形態は、所定のタイマ時間だけ強状態で運転する局所換気以外に、連続的に強運転ができるため、使い勝手が向上する。
【００９１】
（実施形態１０）
換気扇Ｆには、商用電源ＡＣを強運転用の端子に入力するか、あるい弱運転用の端子に入力するかを、外部の切り替えスイッチにより切り替えることで風量の強・弱を切り替える外部接点切替形の換気扇と、商用電源ＡＣを強運転用の端子に入力するか、あるい弱運転用の端子に入力するかを、内蔵したリレーにより切り替えることで風量の強・弱を切り替える切替リレー内蔵形の換気扇とがある。
【００９２】
そこで本実施形態では図１７に示すように、実施形態１〜９いずれかの構成を備えた電子スイッチＡの制御回路部４に負荷切替入力Ｘ１を設けて、制御電源−グランドレベル間に接続した抵抗Ｒ１と換気扇タイプ選択スイッチＳＷ３との直列回路の接続中点を負荷切替入力Ｘ１に接続している。そして、接続する換気扇が外部接点切替形か、あるいは切替リレー内蔵形かによってスイッチＳＷ３をオン・オフするもので、例えば図１８に示すように、外部接点切替形の場合はスイッチＳＷ３をオンして負荷切替入力Ｘ１への入力をＬレベルとし、切替リレー内蔵形の場合はスイッチＳＷ３をオフして負荷切替入力Ｘ１への入力をＨレベルとすることで、制御回路部４は接続している換気扇のタイプを判別した上で、停止、強運転、弱運転に対応した負荷制御部２ａ，２ｂの制御を行うことができる。
【００９３】
なお、スイッチＳＷ３の切替は図１９に示すように、外部接点切替形の場合はスイッチＳＷ３をオフして負荷切替入力Ｘ１への入力をＨレベルとし、切替リレー内蔵形の場合はスイッチＳＷ３をオンして負荷切替入力Ｘ１への入力をＬレベルとしてもよい。
【００９４】
（実施形態１１）
本実施形態の電子スイッチＡは、実施形態１〜１０いずれかの構成を備えており、その外観図を図２０（ａ）〜（ｄ）に示し、取付枠への取付構成を図２１に示す。電子スイッチＡの器体１４０は直方体状であって、合成樹脂成形品である前面開口したボディ１４０ａと、ボディ１４０ａの前面側に結合される後面開口した合成樹脂成形品であるカバー１４０ｂとにより形成される。
【００９５】
器体１４０の短手方向の寸法は、埋込型の配線器具の施工時に用いる取付枠１３０に３個まで取着可能な寸法に形成してある。つまり、本実施形態に示す電子スイッチＡの器体１４０の短手方向の寸法は取付枠１３０の取付窓（器具取付孔）１３１の長手方向の寸法の略３分の１の寸法になる。
【００９６】
一方、器体１４０の長手方向の寸法は取付窓１３１の短手方向の寸法に略等しく、器体１４０の前部を形成するカバー１４０ｂの長手方向の各側面には、取付枠１３０の取付窓１３１を囲む部位に３組設けた器具取付孔１３２に係合可能な取付爪１４１がそれぞれ一対ずつ突設してあり、取付爪１４１が器具取付孔１３２に係合することによって器体１４０が取付枠１３０に保持されるようにしてある。
【００９７】
また、取付枠１３０の前面側には取付枠１３０の取付窓１３１よりも長寸かつ広幅の開口窓１０１，１１１を備える化粧プレート１００及びプレート枠１１０が重ね合わせて配置される。
【００９８】
そして電子スイッチＡの器体１４０のカバー１４０ｂの前面側端部には、操作ハンドル（操作用押釦部）１２０ａを枢着するために、斜め前方に突出する一対の軸部１４２が一体に突設してある。軸部１４２の前端部はカバー１４０ｂの短手方向に沿った円柱状に形成される。操作ハンドル１２０ａの後面の一端部には、軸受部（図示なし）が設けてあり、軸部１４２を操作ハンドル１２０ａの軸受部に回動自在に嵌め込むことで操作ハンドル１２０ａを器体１４０に回動自在に枢着することができ、操作ハンドル１２０ａを押操作すると、操作ハンドル１２０ａは回動して、器体１４の前面に突出したオン／オフ操作スイッチＳＷ１が器体１４０に押し込まれる。
【００９９】
また器体１４０の前面にはＬＥＤａが露出しており、ＬＥＤａは電子スイッチＡの負荷開閉手段がオン状態であるときは連続点灯し、オフ状態であるときは消灯し、一時停止状態であるときは点滅することでスイッチＡの状態表示を行い、ＬＥＤａの点灯状態は操作ハンドル１２０ａに設けた透光部１２１を介して確認できる。
【０１００】
なお、図２１においては取付枠１３０に電子スイッチＡを３個取り付ける際に用いる操作ハンドル１２０ａを用いたものであって、化粧プレート１００及びプレート枠１１０の各開口窓１０１、１１１を３個で覆っている。
【０１０１】
図２２（ａ），（ｂ）は、取付枠１３０に電子スイッチＡを２個取り付ける際に用いる操作ハンドル１２０ｂを用いたものであって、化粧プレート１００及びプレート枠１１０の各開口窓１０１、１１１を２個で覆っている。
【０１０２】
また、器体１４０の前面で回動する操作ハンドル１２０ａの代わりに、図２３に示すような樹脂製シートからなるシート操作部１２０ｃを備えて、シート操作部１２０ｃが器体１４０の前後方向に変位することでオン／オフ操作スイッチＳＷ１を器体１４０に押し込む構成でもよい。
【０１０３】
（実施形態１２）
本実施形態の電子スイッチＡは、実施形態１〜１０いずれかの構成を備えており、その外観図を図２４（ａ），（ｂ）に示し、取付枠の構成を図２５に示す。電子スイッチＡの器体１４０は直方体状であって、合成樹脂成形品である前面開口したボディ１４０ａと、ボディ１４０ａの前面側に結合される後面開口した合成樹脂成形品であるカバー１４０ｂとにより形成される。器体１４０の短手方向の寸法は、大角連用形（ＪＩＳ  Ｃ８３０４参照）と称する埋込型の配線器具の施工時に用いる取付枠１３０に３個まで取着可能な寸法に形成してある。つまり、本実施形態に示す電子スイッチＡの器体１４０の短手方向の寸法は取付枠１３０の取付窓１３１の長手方向の寸法の略３分の１の寸法（例えばＪＩＳ規格で規格化された大角形連用配線器具の単位寸法）になる。
【０１０４】
なお、実施形態１１と異なる点は、ＪＩＳ規格で規格化された大角形連用配線器具の単位寸法に基づいて形成している点であり、機能上同様の構成には同一の符号を付して説明は省略する。
【０１０５】
（実施形態１３）
本実施形態では、実施形態１〜１３いずれかの構成を備えた電子スイッチを、照明器具のスイッチや常時換気設備の強・弱切替スイッチ等の他の用途のスイッチＢ１，Ｂ２とともに、１個用のスイッチボックスに用いるフラッシプレート２００に取り付けた外観図を図２６に示す。
【０１０６】
図２７は、図２６の内部配線図を示しており、スイッチＢ１，Ｂ２はその内部にスイッチＳＷ１０，ＳＷ２０を各々備えて、ランプＬａ１，Ｌａ２を各々オン・オフするものであり、電子スイッチＡは換気扇Ｆをオン・オフするものである。
【０１０７】
図２８は、図２６の別の内部配線図を示しており、ファンＦは、強端子Ｔａ１と弱端子Ｔａ２の２系統の入力を備えて、いずれの端子に電源を供給されるかによって風量を強・弱２段階に切り替えることができる。そして、スイッチＢ１はその内部にスイッチＳＷ１１を備えて、電子スイッチＡを介してファンＦに供給される商用電源ＡＣからの電力を、強端子Ｔａ１と弱端子Ｔａ２のいずれの端子に入力するかを切り替えている。スイッチＢ２はスイッチＳＷ２０を備えて、ランプＬａ２をオン・オフするものである。
【０１０８】
上記本実施形態では、従来のカバー付スイッチに比べて以下の利点がある。従来は、１個用のスイッチボックス用のフラッシプレートにスイッチの操作部を覆うカバーを設けたものと、通常の電灯スイッチとを組み合わせて使用してきた。１個用のスイッチボックスには、通常１個モジュールの連用器具であれば３台まで取り付けることが可能であるが、フラッシプレートの中のスイッチ全てが不用意に操作することができなくなり、頻繁に操作する用途のスイッチまでも容易に操作できなくなっていた。つまりは、換気扇用の電子スイッチＡは頻繁に操作する用途のスイッチとは連用、連接しての取り付けが困難であった。
【０１０９】
しかし本実施形態では、不用意にオフされることが望ましくない常時換気設備の主電源スイッチ（電子スイッチＡ）と頻繁に操作されるような使い勝手の要求仕様が異なる他の用途のスイッチ（照明器具のスイッチなど）を、フラッシプレートの開口窓の長手方向寸法の略１／３の寸法を３倍した寸法に形成された電子スイッチＡの場合は、２個以上のスイッチボックス用のフラッシプレート、及びスイッチボックス各々１つを用いて、壁面にあけた１つの取付孔に取り付けることが可能となるため、複数のフラッシプレートとスイッチボックスを用いて施工する場合より、合理的、且つ省施工で見栄えよい取付が可能となる。
【０１１０】
また、フラッシプレートの開口窓の長手方向寸法の略１／３の寸法を１倍、及び２倍した寸法に形成された電子スイッチＡに限っては、他の用途のスイッチと同一の取付枠、同一の１個用のスイッチボックス用のフラッシプレートを用いて施工することが可能となる。また、小形で安価な１個用のフラッシプレート、及びスイッチボックスを用いて他の用途のスイッチと一緒に施工することが可能となるため、合理的であり、壁面の取付孔も小さくて済み、施工の手間が省ける。さらに、壁面のスイッチが専有する面積が２個以上のスイッチボックス用のフラッシプレートを使用する場合に比べて低減することが可能となり、壁面の有効活用が図れ、狭い取り付け場所に取り付けることも可能となる。
【０１１１】
【発明の効果】
請求項１の発明によれば、強制換気スイッチによる所定時間の強運転（局所換気）から自動的に弱運転（常時運転）に復帰するので、局所換気から常時運転への切替操作忘れを防止することができるという効果がある。さらには、小型且つ安価に構成できるものである。
【０１１２】
請求項２の発明によれば、請求項１の機能を削減せずに操作スイッチの数を減らすことができ、部品数の削減による合理化、器具の小形化、さらには器具サイズに対して操作部を大きくすることができるという効果がある。
【０１１３】
請求項３の発明によれば、必要に応じて局所換気の強運転状態を延長できるため使い勝手が向上することができるという効果がある。
【０１１４】
請求項４の発明によれば、必要に応じて局所換気の強運転状態を延長できるため使い勝手が向上することができるという効果がある。
【０１１５】
請求項５の発明によれば、必要に応じて任意に局所換気の強運転状態を中断できるため、必要に応じて常時運転（弱運転）に復旧することが可能となり使い勝手が向上するという効果がある。
【０１１６】
請求項６の発明によれば、必要に応じて任意に局所換気の強運転状態を中断できるため、必要に応じて常時運転（弱運転）に復旧することが可能となり使い勝手が向上するという効果がある。
【０１１７】
請求項７の発明によれば、操作スイッチの数を増やすことなく、請求項３，５と同様の効果を同時に実現することができるという効果がある。
【０１１８】
請求項８の発明によれば、操作スイッチの数を増やすことなく、請求項４，６と同様の効果を同時に実現することができるという効果がある。
【０１１９】
請求項９の発明によれば、所定時間だけの強運転以外に、連続的に強運転ができるため、使い勝手が向上するという効果がある。
【０１２０】
請求項１０の発明によれば、換気用電子スイッチの汎用性が向上するという効果がある。
【０１２１】
請求項１１の発明によれば、合理的、且つ省施工で見栄えよい取付が可能となるという効果がある。
【０１２２】
請求項１２の発明によれば、常時換気では弱運転状態が定常状態であるため、強運転や局所換気状態や一時停止状態や停止状態を積極表示されて使い勝手が良くなるという効果がある。さらに、２つの表示灯で多くの状態を識別でき、経済的でもある。
【図面の簡単な説明】
【図１】
本発明の実施形態１の構成を示す図である。
【図２】
同上の操作部の構成を示す図である。
【図３】（ａ），（ｂ），（ｃ）同上の動作フローを示す図である。
【図４】同上の状態遷移を示す図である。
【図５】本発明の実施形態２の構成を示す図である。
【図６】（ａ），（ｂ）同上の動作フローを示す図である。
【図７】（ａ），（ｂ），（ｃ）本発明の実施形態３の動作フローを示す図である。
【図８】同上の状態遷移を示す図である。
【図９】（ａ），（ｂ）本発明の実施形態４の動作フローを示す図である。
【図１０】（ａ），（ｂ），（ｃ）本発明の実施形態５の動作フローを示す図である。
【図１１】（ａ），（ｂ）本発明の実施形態６の動作フローを示す図である。
【図１２】（ａ），（ｂ），（ｃ）本発明の実施形態７の動作フローを示す図である。
【図１３】（ａ），（ｂ）本発明の実施形態８の動作フローを示す図である。
【図１４】本発明の実施形態９の第１の状態遷移を示す図である。
【図１５】同上の第２の状態遷移を示す図である。
【図１６】同上の第３の状態遷移を示す図である。
【図１７】本発明の実施形態１０の制御回路部の負荷切替入力を示す図である。
【図１８】同上の負荷切替入力に対応する換気扇のタイプを示す図である。
【図１９】同上の負荷切替入力に対応する換気扇のタイプを示す図である。
【図２０】（ａ）本発明の実施形態１１の電子スイッチの外観を示す前面図である。
（ｂ）同上の電子スイッチの外観を示す端面図である。
（ｃ）同上の電子スイッチの外観を示す側面図である。
（ｄ）同上の電子スイッチの外観を示す後面図である。
【図２１】同上の電子スイッチの取付時の分解斜視図である。
【図２２】（ａ）同上の電子スイッチの取付時の別の形態の側面図である。
（ｂ）同上の電子スイッチの取付時の別の形態の前面図である。
【図２３】同上の電子スイッチの別の操作ハンドルを示す斜視図である。
【図２４】（ａ）本発明の実施形態１２の電子スイッチの外観を示す側面図である。
（ｂ）同上の電子スイッチの外観を示す前面図である。
【図２５】同上の電子スイッチの取付枠を示す斜視図である。
【図２６】本発明の実施形態１３の電子スイッチの取付状態を示す図である。
【図２７】同上の電子スイッチの内部配線を示す図である。
【図２８】同上の電子スイッチの別の内部配線を示す図である。
【符号の説明】
Ａ  換気扇用電子スイッチ
ＡＣ  商用電源
Ｆ  換気扇
１  端子部
２ａ，２ｂ  負荷制御部
３  操作部
４  制御回路部
５  電源回路部
６  表示灯部
７  設定部
【図１】
2005020273.tif 000003
【図２】
2005020273.tif 000004
【図３】
2005020273.tif 000005
【図４】
2005020273.tif 000006
【図５】
2005020273.tif 000007
【図６】
2005020273.tif 000008
【図７】
2005020273.tif 000009
【図８】
2005020273.tif 000010
【図９】
2005020273.tif 000011
【図１０】
2005020273.tif 000012
【図１１】
2005020273.tif 000013
【図１２】
2005020273.tif 000014
【図１３】
2005020273.tif 000015
【図１４】
2005020273.tif 000016
【図１５】
2005020273.tif 000017
【図１６】
2005020273.tif 000018
【図１７】
2005020273.tif 000019
【図１８】
2005020273.tif 000020
【図１９】
2005020273.tif 000021
【図２０】
2005020273.tif 000022
【図２１】
2005020273.tif 000023
【図２２】
2005020273.tif 000024
【図２３】
2005020273.tif 000025
【図２４】
2005020273.tif 000026
【図２５】
2005020273.tif 000027
【図２６】
2005020273.tif 000028
【図２７】
2005020273.tif 000029
【図２８】
2005020273.tif 000030